(57)【要約】      （修正有）【課題】照光回路の接続が極めて安定し、機器の振動衝撃に対しても点灯のチラツキや点灯不良の無い照光式ロッカスイッチを提供する。【解決手段】スイッチ本体２０の内底面に受部１７とその左右に固定接点１９を設け、受部１７に可動接片１１を揺動自在に載置させるとともに、この受部１７と連なる共通端子と固定接点１９と連なる各接続端子をスイッチ本体２０底面に突出させ、第１の接触片１２と第２の接触片１３の先端部を曲折して弾性を有する状態でスイッチ本体２０上面に配置し、スイッチ本体２０上面に前記各接触片１２，１３の先端部と接触する第１の接触片の接触部６Ｃと第２の接触片の接触部６Ｄとを有し、ＬＥＤ回路を形成する導電部６Ａと上面にＬＥＤ４を配設した略コ字状のプリント基板６を介してスイッチ本体２０を覆うハウジング２を凹凸関係により嵌合させたものである。【選択図】図５
2008091068.tif 000002
【特許請求の範囲】
【請求項１】
上面を開口部としたスイッチ本体を覆うハウジングと、該ハウジングの上面に操作部を配備し、該操作部の傾動により前記スイッチ本体内に配備した接触機構部を動作させて電路の開閉を行う照光式ロッカスイッチにおいて、前記スイッチ本体の内底面に受部とその左右に固定接点を設け、前記受部に可動接片を揺動自在に載置させるとともに、前記受部と連なる共通端子と前記固定接点と連なる各接触端子を前記スイッチ本体底面に突出させ、更には前記スイッチ本体内に配備したどちらか一方の固定接点に接続する弾性部材で形成した第１の接触片とスイッチ本体底面に突出するランプ端子と連なる第２の接触片を前記スイッチ本体内側面に沿わせるとともに、前記第１の接触片と第２の接触片の先端部を折曲して弾性を有する状態で前記スイッチ本体上面の開口部の縁部に配置して、前記各接触片の先端部と接触する第１の接触片の接触部と第２の接触片の接触部とを有し、ＬＥＤ回路を形成する導電部と上面にＬＥＤを配設した略コ字状のプリント基板を介して前記スイッチ本体を覆う前記ハウジングの側面で凹凸嵌合させるようにしたことを特徴とする照光式ロッカスイッチ。
【請求項２】
前記スイッチ本体の開口部の縁部に凹部を形成して前記第１の接触片と第２の接触片の先端部を曲折し、前記凹部に形成される前記第１の接触片の接触部と第２の接触片の接触部にそれぞれ前記第１の接触片と第２の接触片の先端部を接続し、前記プリント基板に形成したＬＥＤ回路の導電部との電気的接続状態を維持させるようにしたことを特徴とする請求項１記載の照光式ロッカスイッチ。
【請求項３】
前記スイッチ本体の側面と前記ハウジングの側面のどちらか一方に凸部を他方に凹部を形成して強固に凹凸嵌合させたことを特徴とする請求項１又は２記載の照光式ロッカスイッチ。
【発明の詳細な説明】
【技術分野】
【０００１】
本発明は、スイッチ本体上面にＬＥＤを配備したプリント基板を配設して操作部を照光させる照光式ロッカスイッチに関するものである。
【背景技術】
【０００２】
従来の照光式ロッカスイッチはスイッチ本体内底面にＬＥＤを配設し、そのＬＥＤ端子をスイッチ本体底面に突出するランプ端子にはんだ付けや圧着させて加締めたりして接続する構造のものが一般的であった。また、ＬＥＤの色を交換可能にするため、ランプ端子の上方を凹凸関係によるソケット構造にして、リードタイプのＬＥＤを挿入するものがあった（下記特許文献１参照）。
【特許文献１】実公昭５１−２２２８４号公報
【発明の開示】
【発明が解決しようとする課題】
【０００３】
以上で述べた従来の照光式ロッカスイッチは、接続部をはんだ付け作業により行わなければならないことから、組立性に難があり工数がかかる問題があった。また、圧着による加締めやソケット構造のものにあっては機器の振動衝撃により、点灯のチラツキや点灯不良を起こす原因ともなっていた。
【０００４】
本発明は、上記問題点に鑑みて、照光回路の接続が極めて安定し、機器の振動衝撃に対しても点灯のチラツキや点灯不良の無い照光式ロッカスイッチを提供することを目的とするものである。
【課題を解決するための手段】
【０００５】
本発明は、上記目的を達成するために、
〔１〕上面を開口部Ｊとしたスイッチ本体２０を覆うハウジング２と、このハウジング２の上面に操作部１を配備し、この操作部１の傾動によりスイッチ本体２０内に配備した接触機構部Ｋを動作させて電路の開閉を行う照光式ロッカスイッチにおいて、前記スイッチ本体２０の内底面に受部１７とその左右に固定接点１９を設け、前記受部１７に可動接片１１を揺動自在に載置させるとともに、前記受部１７と連なる共通端子２６と前記固定接点１９と連なる各接触端子２２，２５を前記スイッチ本体２０底面に突出させ、更には前記スイッチ本体２０内に配備したどちらか一方の固定接点１９に接続する弾性部材で形成した第１の接触片１２とスイッチ本体２０底面に突出するランプ端子２４と連なる第２の接触片１３を前記スイッチ本体内側面に沿わせるとともに、前記第１の接触片１２と第２の接触片１３の先端部を折曲して弾性を有する状態で前記スイッチ本体２０上面の開口部の縁部２０Ａに配置して、前記各接触片１２，１３の先端部と接触する第１の接触片の接触部６Ｃと第２の接触片の接触部６Ｄとを有し、ＬＥＤ回路を形成する導電部６Ａと上面にＬＥＤ４を配設した略コ字状のプリント基板６を介して前記スイッチ本体２０を覆う前記ハウジング２の側面で凹凸嵌合させるようにした。
【０００６】
〔２〕上記〔１〕記載の照光式ロッカスイッチにおいて、スイッチ本体２０の開口部の縁部２０Ａに凹部２０Ｂ，２０Ｃを形成して第１の接触片１２と第２の接触片１３の先端部を曲折し、前記凹部２０Ｂ，２０Ｃに形成される前記第１の接触片の接触部６Ｃと第２の接触片の接触部６Ｄにそれぞれ前記第１の接触片１２と第２の接触片１３の先端部を接続し、プリント基板６に形成したＬＥＤ回路の導電部６Ａとの電気的接続状態を維持させるようにしたものである。
【０００７】
〔３〕上記〔１〕又は２記載の照光式ロッカスイッチにおいて、前記スイッチ本体２０の側面と前記ハウジング２の側面のどちらか一方に凸部を他方に凹部を形成して強固に凹凸嵌合させたものである。
【発明の効果】
【０００８】
上述したように、本発明の照光式ロッカスイッチは、スイッチ本体の上面に弾性部材で形成した接触片と照光回路を形成する導電部を接触させてハウジングで挟持させたので、点灯のチラツキや点灯不良がなく、悪環境下でも極めて電気的接続の安定した状態を維持できる。また、接触片の弾性により、ハウジングとスイッチ本体の嵌合部が相反する方向に力が作用するため、嵌合が強固で堅牢な照光式ロッカスイッチを提供できる。更には、スイッチ本体の上面に凹部を設けて接触片を配設したので、機器の振動衝撃に対してもプリント基板に形成した照光回路の導電部との位置ずれがなく、電気的接続が極めて安定した照光式ロッカスイッチを提供できる。
【発明を実施するための最良の形態】
【０００９】
本発明の照光式ロッカスイッチは、スイッチ本体の内底面に受部とその左右に固定接点を設け、受部に可動接片を揺動自在に載置させるとともにこの受部と連なる共通端子と固定接点と連なる各接続端子をスイッチ本体底面に突出させ、更にはスイッチ本体内に配備したどちらか一方の固定接点に接続する弾性部材で形成した第１の接触片とスイッチ本体の底面に突出するランプ端子と連なる第２の接触片をスイッチ本体内側面に沿わせるとともに、第１の接触片と第２の接触片の先端部を曲折して弾性を有する状態でスイッチ本体上面に配置し、スイッチ本体上面に前記各接触片の先端部と接触する第１の接触片の接触部と第２の接触片の接触部とを有し、ＬＥＤ回路を形成する導電部と上面にＬＥＤを配設した略コ字状のプリント基板を介してスイッチ本体を覆うハウジングを凹凸関係により嵌合させたものである。
【実施例】
【００１０】
以下、本発明の実施の形態について詳細に説明する。
【００１１】
図１は本発明の実施例を示す照光式ロッカスイッチの上面図、図２は図１のＡ−Ａ線断面図、図３は図１のＢ−Ｂ線断面図、図４は図１の裏面図、図５は図３のＣ−Ｈ線断面図、図６は図５のＩ−Ｉ線矢視図、図７は照光式ロッカスイッチの分解斜視図、図８はプリント基板の構造を示す図であり、図８（ａ）はその裏面の配線図、図８（ｂ）はその側面図、図８（ｃ）はその表面図である。図９はプリント基板への実装状態を示す図であり、図９（ａ）はその裏面の実装図、図９（ｂ）はその表面の実装図である。図１０はプリント基板へ実装された部品の回路図である。
【００１２】
これらの図において、１は操作部としてのボタン、１′はレンズ、２はハウジング、３，５はＯリング、４は発光ダイオード（ＬＥＤ）、６はプリント基板、６Ａは導電部、６ＢはＬＥＤピンの挿入孔、６Ｃは第１の接触片（後述）の接触部、６Ｄは第２の接触片（後述）の接触部、７は転換子、８はコイルバネ、９は滑動棒、１０は可動接点、１１は可動接片、１２は第１の接触片、１３は第２の接触片、１４はカシメ鋲、１５はチップ抵抗、１６はテーパバネ、１７は受部、１８は鋲、１９は固定接点、２０はスイッチ本体、２０Ａはスイッチ本体２０の開口部の縁部、２０Ｂ，２０Ｃはスイッチ本体２０の開口部の縁部２０Ａの凹部、２０Ｄはスイッチ本体２０の側面に形成された凸部〔この場合は、ハウジング２の内面には凹部（図示なし）が形成されるが、これとは逆に、スイッチ本体２０の側面に形成された凹部（図示なし）とハウジング２の内面には凸部（図示なし）を形成するようにしてもよい〕、２１は第１のスペーサ、２２は第１の接触端子、２３は第２のスペーサ、２４はランプ端子、２５は第２の接触端子、２６は共通端子、２７はブラケット、Ｊはハウジングの開口部、Ｋは接触機構部である。
【００１３】
また、図９に示されるプリント基板６に実装される部品としては、チップ抵抗Ｒ１，Ｒ２とダイオードＤ２と発光ダイオード（ＬＥＤ）Ｌ１が用いられ、図１０に示すような回路構成となっている。
【００１４】
上記したように、この実施例では、上面を開口部Ｊとしたスイッチ本体２０を覆うハウジング２と、このハウジング２の上面に操作部１を配備し、この操作部としてのボタン１の傾動によりスイッチ本体２０内に配備した接触機構部Ｋを動作させて電路の開閉を行うロッカスイッチにおいて、前記スイッチ本体２０の内底面に受部１７とその左右に固定接点１９を設け、前記受部１７に可動接片１１を揺動自在に載置させるとともに前記受部１７と連なる共通端子２６と前記固定接点１９と連なる各接触端子２２，２５を前記スイッチ本体２０底面に突出させ、更には前記スイッチ本体２０内に配備したどちらか一方の固定接点１９に接続する弾性部材で形成した第１の接触片１２とスイッチ本体２０底面に突出するランプ端子２４と連なる第２の接触片１３を前記スイッチ本体内側面に沿わせるとともに前記第１の接触片１２と第２の接触片１３の先端部を折曲して弾性を有する状態で前記スイッチ本体２０上面の開口部の縁部２０Ａに配置して、前記各接触片１２，１３の先端部と接触する第１の接触片の接触部６Ｃと第２の接触片の接触部６Ｄとを有し、ＬＥＤ回路を形成する導電部６Ａと上面に発光ダイオード（ＬＥＤ）４を配設した略コ字状のプリント基板６を介して前記スイッチ本体２０を覆う前記ハウジング２の側面で凹凸嵌合させるようにした。
【００１５】
また、スイッチ本体２０の開口部の縁部２０Ａに凹部２０Ｂ，２０Ｃを形成して第１の接触片１２と第２の接触片１３の先端部を曲折し、前記凹部２０Ｂ，２０Ｃに形成される前記第１の接触片の接触部６Ｃと第２の接触片の接触部６Ｄにそれぞれ前記第１の接触片１２と第２の接触片１３の先端部を接続し、プリント基板６に形成したＬＥＤ回路の導電部６Ａとの電気的接続状態を維持させるようにした。
【００１６】
更には、スイッチ本体２０の側面とハウジング２の側面のどちらか一方に凸部を他方に凹部を形成して強固に凹凸嵌合させたものである。
【産業上の利用可能性】
【００１７】
本発明の照光式ロッカスイッチは、振動衝撃のある悪環境下においても、点灯のチラツキや点灯不良が無く堅牢な構造であることから、常に振動衝撃のあるクレーン車やトラック用の操作スイッチとして適している。
【００１８】
また、本発明は、照光式ロッカスイッチの実施例について説明したが、押ボタンスイッチやスライドスイッチ等、他の操作形態のスイッチも可能であり、種々の用途に使用することができる。
【図面の簡単な説明】
【００１９】
【図１】本発明の実施例を示す照光式ロッカスイッチの上面図である。
【図２】図１のＡ−Ａ線断面図である。
【図３】図１のＢ−Ｂ線断面図である。
【図４】図１の裏面図である。
【図５】図３のＣ−Ｈ線断面図である。
【図６】図５のＩ−Ｉ線矢視図である。
【図７】照光式ロッカスイッチの分解斜視図である。
【図８】プリント基板の構造を示す図である。
【図９】プリント基板への実装状態を示す図である。
【図１０】プリント基板へ実装された部品の回路図である。
【符号の説明】
【００２０】
１    操作部としてのボタン
１′    レンズ
２    ハウジング
３，５    Ｏリング
４    発光ダイオード（ＬＥＤ）
６    プリント基板
６Ａ    導電部
６Ｂ    ＬＥＤピンの挿入孔
６Ｃ    第１の接触片の接触部
６Ｄ    第２の接触片の接触部
７    転換子
８    コイルバネ
９    滑動棒
１０    可動接点
１１    可動接片
１２    第１の接触片
１３    第２の接触片
１４    カシメ鋲
１５    チップ抵抗
１６    テーパバネ
１７    受部
１８    鋲
１９    固定接点
２０    スイッチ本体
２０Ａ    スイッチ本体の開口部の縁部
２０Ｂ，２０Ｃ    スイッチ本体の開口部の縁部の凹部
２０Ｄ    スイッチ本体の側面に形成された凸部
２１    第１のスペーサ
２２    第１の接触端子
２３    第２のスペーサ
２４    ランプ端子
２５    第２の接触端子
２６    共通端子
２７    ブラケット
Ｊ    ハウジングの開口部
Ｋ    接触機構部
【図１】
2008091068.tif 000003
【図２】
2008091068.tif 000004
【図３】
2008091068.tif 000005
【図４】
2008091068.tif 000006
【図５】
2008091068.tif 000007
【図６】
2008091068.tif 000008
【図７】
2008091068.tif 000009
【図８】
2008091068.tif 000010
【図９】
2008091068.tif 000011
【図１０】
2008091068.tif 000012